(57)【特許請求の範囲】
【請求項１】
撮像手段と、
撮像手段から供給される映像信号に情報項目を合成する映像処理手段と、
前記映像信号に合成される前記情報項目の表示状態を制御する制御手段と、
表示された情報項目から任意の情報項目を選択する選択手段とを備え、
前記情報項目は、文字列と文字列の背景とから構成され、前記選択手段により選択できる情報項目と、前記選択手段により選択できない情報項目とがあり、
前記制御手段は、前記選択できない情報項目の前記文字列の背景の表示状態を、透明、又は半透明とすることにより、前記選択できる情報項目と、選択できない情報項目とを異なる表示状態とする
撮像装置。
【請求項２】
前記選択できない情報項目の背景を半透明とした
請求項１に記載の撮像装置。
【請求項３】
前記選択できる情報項目の前記文字列を第１の色で単色表示し、
前記選択できない情報項目の前記文字列を前記第１の色とは異なる第２の色で単色表示し、その背景を半透明とした
請求項２に記載の撮像装置。
【請求項４】
前記制御手段は、さらに、前記選択できる情報項目のうち前記選択手段により選択されている情報項目の文字列又は文字列の背景と、選択されていない情報項目の文字列又は文字列の背景とを異なる表示状態とする
請求項１〜３のいずれか１項に記載の撮像装置。
【請求項５】
前記情報項目には、さらに、前記選択手段により既に選択された情報項目があり、
前記制御手段は、前記既に選択された情報項目の文字列又は文字列の背景と、選択できる情報項目の文字列又は文字列の背景と、選択できない情報項目の文字列又は文字列の背景とを異なる表示状態として、３つを区別して表示する
請求項１〜３のいずれか１項に記載の撮像装置。
【請求項６】
撮像して得た映像信号に文字列と文字列の背景とから構成される情報項目を合成する映像処理と、
前記映像信号に合成される前記情報項目の表示状態を制御する制御処理と、
表示された情報項目から任意の情報項目を選択する選択処理とを行い、
前記文字列と文字列の背景とから構成される情報項目には、前記選択処理により選択できる情報項目と、前記選択処理により選択できない情報項目とがあり、
前記制御処理は、前記選択できない情報項目の前記文字列の背景の表示状態を、透明、又は半透明とすることにより、前記選択できる情報項目と、選択できない情報項目とを異なる表示状態とする
撮像方法。
【請求項７】
前記選択できない情報項目の背景を半透明とした
請求項６に記載の撮像方法。
【請求項８】
前記選択できる情報項目の前記文字列を第１の色で単色表示し、
前記選択できない情報項目の前記文字列を前記第１の色とは異なる第２の色で単色表示し、その背景を半透明とした
請求項７に記載の撮像方法。
【請求項９】
さらに、前記選択できる情報項目のうち、所定の操作で選択されている情報項目の文字列又は文字列の背景と、選択されていない情報項目の文字列又は文字列の背景とを異なる表示状態とする
請求項６〜８のいずれか１項に記載の撮像方法。
【請求項１０】
前記情報項目には、さらに、前記選択手段により既に選択された情報項目があり、
前記制御手段は、前記既に選択された情報項目の文字列又は文字列の背景と、選択できる情報項目の文字列又は文字列の背景と、選択できない情報項目の文字列又は文字列の背景とを異なる表示状態として、３つを区別して表示する
請求項６〜８のいずれか１項に記載の撮像方法。
【発明の詳細な説明】
【技術分野】
【０００１】
本発明は、例えばビデオカメラ装置のモニタ表示用の映像処理に適用して好適な撮像装置及び撮像方法に関する。
【背景技術】
【０００２】
従来、ビデオカメラ装置が備えるモニタ用の映像表示部に、この装置の動作状態や設定される動作モードなどの各種案内情報を、文字，図形などのキャラクタで表示させることが行われている。
【０００３】
ここで、ビデオカメラ装置などの映像機器は、近年多機能化する傾向にあり、設定できるモードなどが非常に多く存在する。従って、モニタ画面に文字情報などで案内する情報量が非常に多くなっている。なお、ビデオカメラ装置から出力される映像信号に、このようなキャラクタ表示を行うように処理したり、映像記録部を備えたいわゆるレコーダと一体型のビデオカメラの場合には、記録される映像信号にキャラクタを重畳させるように処理する場合もある。
【発明の開示】
【発明が解決しようとする課題】
【０００４】
ところが、多機能化されたビデオカメラ装置などにおいて、上述したようにモニタ画面に多くの文字情報を同時に表示させると、非常に見にくいモニタ画面になってしまう問題があった。特に、複数の文字情報が同時に多数表示されていると、その表示内容が判り難くなってしまう。また、表示される文字に何らかの背景色を付加した場合には、表示させる文字情報が多数あると、モニタ画面として本来表示される撮影画像の多くの部分が隠れることになり、撮影画像のモニタが出来なくなってしまう。従って、表示される文字情報の一部にだけ、背景を付与して表示することが従来行われていたが、このように一部に背景を付与するだけでは十分ではなかった。
【０００５】
ここで、従来の文字表示例を示すと、例えばビデオカメラ装置などのモニタ部を備えた映像機器で、その機器の各種モード設定を行うための表示画面の例を、図７はモード設定する項目の選択画面の一例を示す。この図７に示すように、画面の上部に「設定モード」を白色などの単色の文字色で背景がない状態で表示させて、その下に「設定項目１」，「設定項目２」などと各設定項目を文字で順に表示させる。ここで、「設定項目１」とある項目を、キー操作などで選択したとすると、この項目の表示については、文字色を透明とし、不透明な所定色の背景（図７で斜線を付して示す範囲）を付与して表示させる処理が行われる。
【０００６】
また、この「設定項目１」を選択して、この機器の設定項目を変更する場合の変更画面の一例を図８に示すと、「設定項目１」についての「選択内容」と「非選択内容」とが文字で表示され、ここでは「選択内容」の項目を選択したとき、この項目の表示については、文字色を透明とし、不透明な所定色の背景（図８で斜線を付して示す範囲）を付与して表示させる処理が行われ、「非選択内容」の項目の表示については、白色などの単色の文字色で背景がない状態で表示させる処理が行われる。
【０００７】
このように従来の表示処理では、多数の文字情報を同時に表示するとき、選択された項目と選択されてない項目とを、背景色の有無区別して表示することは行われているが、この２種類の区別だけでは判りやすい表示とは言えず、十分ではなかった。
【０００８】
本発明はこれらの点に鑑み、この種の映像機器で多数の文字情報が、判りやすい状態で良好に表示されるようにすることを目的とする。
【課題を解決するための手段】
【０００９】
この課題を解決するために本発明は、撮像して得た映像信号に文字列と文字列の背景とから構成される情報項目を合成する映像処理と、映像信号に合成される前記情報項目の表示状態を制御する制御処理と、表示された情報項目から任意の情報項目を選択する選択処理とを行い、文字列と文字列の背景とから構成される情報項目には、選択処理により選択できる情報項目と、選択処理により選択できない情報項目とがあり、制御処理は、選択できない情報項目の文字列の背景の表示状態を、透明、又は半透明とすることにより、選択できる情報項目と、選択できない情報項目とを異なる表示状態とするものである。
【発明の効果】
【００１０】
本発明によると、表示内容によって異なる状態で表示され、判り易い良好な表示形態となる。
【００１１】
異なる表示状態の設定として、表示内容によって、背景色を透明色，半透明色，不透明色の少なくとも３種類用意し、選択された表示内容と、選択可能な表示内容と、選択不可能な表示内容とを、背景色により区別して表示することで、選択可能な項目や、どの項目を選択しているのかが直ちに判り、非常に見やすい表示が行われる。
【００１２】
表示内容の設定状態により、さらに表示色を変化させることで、その色によって調整状態などが直ちに判り、非常に見やすい表示が行われる。
【００１３】
異なる表示状態の設定として、表示内容によって、表示色を透明色，半透明色，不透明色の少なくとも３種類用意し、選択された表示内容と、選択可能な表示内容と、選択不可能な表示内容とで、区別して表示することで、表示色により、選択可能な項目や、どの項目を選択しているのかが直ちに判り、非常に見やすい表示が行われる。
【発明を実施するための最良の形態】
【００１４】
以下、本発明の実施の形態を図１〜図６を参照して説明する。
【００１５】
本例においては、記録媒体（ここではビデオテープ）への記録部を備えたいわゆるレコーダ一体型のビデオカメラ装置に適用したもので、まず図１にそのビデオカメラ装置の全体構成を示す。このビデオカメラ装置は、映像信号をデジタルデータとして処理して、デジタルデータのままで記録媒体に記録させる構成としてある。
【００１６】
以下その構成を説明すると、レンズなどの図示しない光学系を介して撮像素子１１のフェースプレートに入射した像光を、電気的な撮像信号に変換し、その撮像信号をアナログ／デジタル変換器１２に供給し、デジタルデータとする。このデジタル撮像データを、カメラ信号処理部１３に供給して、撮像データに各種信号処理を施すと共に、所定の形式の映像データに変換する処理を行う。
【００１７】
カメラ信号処理部１３は、デジタルバスライン１４を介して他の回路ブロックと接続してある。デジタルバスライン１４に接続された他の回路ブロックとしては、記録媒体への記録や再生の処理を行う映像信号処理部２０や、モニタ装置に表示させる映像信号の処理を行う表示用信号処理部３０がある。また、このビデオカメラ装置の各部の動作制御を行うマイクロコンピュータであるシステムコントローラ１についても、バスライン１４に接続してあり、システムコントローラ１からの制御データにより、各回路ブロックが対応した状態に作動する。
【００１８】
映像信号処理部２０では、カメラ信号処理部１３側からバスライン１４を介して供給される映像データを、信号処理部２１で記録用の映像データとし、この記録用の映像データを記録再生部１５に記録して、記録媒体（ここではビデオテープ）１６に記録させる処理を行う。この場合、信号処理部２１から記録再生部１５に映像データを記録するラインの途中には、文字加算部２４が設けてあり、必要により文字情報を映像データに加算する処理を行うようにしてある。文字加算部２４の構成については後述する。
【００１９】
また、記録媒体１６から記録再生部１５で再生した映像データ（又はカメラ信号処理部１３側からバスライン１４を介して供給される映像データ）を、信号処理部２１から文字加算部２２を介してデジタル／アナログ変換器２３に供給し、アナログの映像信号に変換し、その変換された映像信号を出力処理部１７に供給し、出力端子１８から外部の他の映像機器（図示せず）に供給する。文字加算部２２では、必要により文字情報を映像データに加算する処理を行う回路であり、その構成については後述する。なお、ここではアナログの映像信号を出力させる構成について説明したが、デジタル映像データのまま出力させる端子を備える場合もある。
【００２０】
表示用信号処理部３０では、カメラ信号処理部１３側からバスライン１４を介して供給される映像データ（又は記録媒体１６から記録再生部１５で再生して供給される映像データ）を、信号処理部３１で受像用に処理する。そして、その処理された映像データを文字加算部３２を介してデジタル／アナログ変換器３２に供給し、アナログの映像信号に変換する。変換された映像信号は、このビデオカメラ装置に搭載されたモニタ装置４０に供給して、そのモニタ装置４０の画面に映像を表示させる。モニタ装置４０としては、例えば画面サイズが数インチ程度の比較的小型の液晶画像表示パネルなどが使用される。
【００２１】
次に、各文字加算部２２，２４，３２での処理について説明する。本例のビデオカメラ装置は、システムコントローラ１の制御により、モニタ装置４０で表示される映像と、記録媒体１６に記録される映像と、出力端子１８から出力される映像信号中の映像には、それぞれ個別に文字情報を重畳することができるようにしてある。
【００２２】
各文字加算部２２，２４，３２で文字情報が重畳される構成を図２に示すと、システムコントローラ１には、このビデオカメラの各種操作指示が行われる入力キーである入力デバイス２が接続してあり、この入力デバイス２の操作指令に基づいて、システムコントローラ１は、文字表示制御部３に文字情報の表示指示を行う。本例の入力デバイス２としては、少なくとも例えば図３に示すように、上下左右の４方向を指示する方向キー２ａ，２ｂ，２ｃ，２ｄを備える。
【００２３】
文字表示制御部３は、本例のビデオカメラで表示可能な文字に関する情報が記憶させてあり、例えばカタカナ，ひらがな，漢字，アルファベット，数字，簡単な図形などのキャラクタの表示パターンの情報が記憶させてあり、その文字などを表示させるとき、その記憶された表示パターンの情報を読出して、システムコントローラ１から指示された配列のキャラクタ列（文字列）のデータとし、そのキャラクタ列のデータを、カラーパレット部４に供給する。このカラーパレット部４は、文字表示制御部３で表示させることが選択された文字列（キャラクタ列）及びその周囲の背景部に対して、色を付与する処理を行う。その色の付与状態は、システムコントローラ１により制御される。そして、カラーパレット部４で処理された表示データを、各文字加算器２２，２４，３２に供給する。
【００２４】
各文字加算部２２，２４，３２は基本的に同一の構成としてあり、図２では１つだけを示してある。各文字加算部２２，２４，３２は、混合回路６と２つの切換スイッチ５，８とを備え、混合回路６では、カラーパレット部４から供給される文字列の表示データ（この場合の表示データには文字の周囲の背景部に所定の背景色が付加されている）と、端子７から供給される映像データ（例えば加算部３２の場合にはモニタ装置４０で表示させる映像データ）とを混合して、文字の周囲の背景部を半透明とする表示データを作成する。
【００２５】
そして、この混合回路６で作成された背景部を半透明とする表示データを、切換スイッチ５の第１の固定接点５ａに供給し、カラーパレット部４が出力する表示データを、切換スイッチ５の第２の固定接点５ｂに供給し、可動接点５ｍの切換えで、背景部が半透明の表示データと、背景部が透明又は所定の色の表示データ（この透明と所定の色の選択はカラーパレット部４内の処理で行われる）との選択が行われる。この切換スイッチ５の可動接点５ｍの切換えは、カラーパレット部４により制御される。従って、カラーパレット部４では、表示される文字列の周囲の背景を透明にするか、半透明にするか、所定の色にするかの３種類の処理のいずれかが実行される。表示される文字列に対してどの処理が実行されるかは、システムコントローラ１により制御される。
【００２６】
そして、切換スイッチ５の可動接点５ｍにより選択された表示形態の表示データを、文字加算処理を行う切換スイッチ８の第２の固定接点８ｂに供給する。この切換スイッチ８の第１の固定接点８ａには、端子５から映像データが供給され、可動接点８ｍを文字表示制御部３の制御で、画素単位で元の映像データと文字表示データとを切換える処理を行うことで、文字が重畳された映像データが可動接点８ｍに接続された端子９に得られ、この端子９から、後段の回路（文字加算部３２の場合にはデジタル／アナログ変換器３３）に文字列が重畳された映像データを供給する。
【００２７】
この図２に示す回路構成としてあることで、システムコントローラ１の制御で、元の映像データに対して、文字（キャラクタ）の重畳処理を行うことができると共に、その重畳される文字にカラーパレット部４で選択された色を付与することができ、さらにその文字の周囲の背景を、透明状態にする場合（即ち元の映像のままにする場合）と、所定の単一の色の背景にする場合と、所定の色と背景映像とが混合された半透明状態にする場合との３種類の状態にすることができる。ここで本例においては、このような各種表示状態を、システムコントローラ１の制御により、表示される内容により使い分けるようにしてある。
【００２８】
次に、このようにシステムコントローラ１が表示状態を制御した場合の表示例を、図４〜図６を参照して説明する。ここでは、モニタ装置４０で表示させるための映像を処理する表示用信号処理部３０内の文字加算部３２で文字加算処理を行って、モニタ装置４０で表示される映像中に文字を表示させた場合の例を示してあり、例えば本例のビデオカメラ装置で設定できる項目を選択する設定項目選択時には、例えば図４に示す文字表示が行われる。
【００２９】
ここでは上から順に、「設定モード」，「設定項目１」，「設定項目２」‥‥「操作ガイド」と表示され、直接操作をすることのない項目（即ち選択不可能な表示内容）である「設定モード」の文字表示と「操作ガイド」の文字表示については、文字色を所定の色（第１の色）で単色表示させると共に、その文字の周囲の背景部を、不透明の所定色の背景として示してある（片側だけのハッチングで示す範囲の部分）。
【００３０】
そして、図４の表示例では「設定項目１」を選択した場合を示してあり、この選択中の項目「設定項目１」については、文字色を第１の色とは異なる第２の色（この第２の色は第１の色よりも目立つ色）で単色表示させると共に、その文字の周囲の背景部を、不透明の所定色の背景（この背景の色についても「設定モード」，「操作ガイド」の背景よりも目立つ色とする）として示してある（両側のハッチングで示す範囲の部分）。また、非選択項目である「設定項目２」及びその下に省略した項目については、文字色を第１の色で単色表示させると共に、その文字の周囲の背景部を半透明としてあり、元の映像を完全には覆い隠さないようにしてある。
【００３１】
次に、設定項目変更時の通常の表示例を図５に示すと、例えば「設定項目１」を入力デバイス２などの操作で選択した場合には、この「設定項目１」がこのとき既に選択された項目となっていて、この設定済み項目については、文字色を第２の色で表示させると共に、その文字周囲の背景部を所定の色の不透明表示としてある。なお、このときの背景部の色については、他の背景部よりも目立つ色を使用する。この状態では、「設定項目２」及びその下に省略した項目については、選択できない項目になり、文字色を第３の色で単色表示させると共に、その文字の周囲の背景部を半透明としてあり、元の映像を完全には覆い隠さないようにしてある。そして、「設定項目１」の「選択内容」の表示と「非選択内容」の表示については、例えば「選択内容」の項目を選択したとき、この文字色を目立つ第２の色とすると共に背景を不透明の目立つ所定色とし、「非選択内容」の文字色を第１の色とすると共に背景を半透明としてある。
【００３２】
次に、設定項目変更時の画面調整時の表示例を図６に示すと、ここでは「設定項目１」の調整が入力デバイス２などの操作で行われたときの表示例を示してあり、「設定項目１」の表示については、選択済み項目であり、第１の色で単色させると共に、その文字の周囲を所定の色で不透明表示としてある。そして、調整中の「調整値表示」（実際にはここに調整される数値などが表示される）としては、文字色を目立つ第２の色とすると共に、背景を透明とし、調整値が目立つようにしてある。また、「設定項目２」及びその下に省略した項目については、このときに選択できない項目であるので、該当する項目を示す文字表示を消すと共に背景を透明としてある。
【００３３】
このように表示される文字が、その内容によって複数種類に区別して表示されることで、非常に見やすい表示形態になる。即ち、選択できる内容と、選択できない内容とが、区別して表示されると共に、その選択できる内容の中で、選択された項目と、非選択の項目とをさらに区別して表示するので、非常に見やすい表示形態となる。特に、選択された項目については、文字色と背景色を目立つ色としたので、この表示を見たユーザが直ちに選択された項目であると判断できる。また、画面を見ながら調整を行う場合には、調整中には無関係な項目に関する文字及び背景を消す処理が行われるので、文字の背景で映像を覆う部分が少なくなり、映像が見やすくなる。従って、例えば表示される映像に関係した調整が行われている場合には、その映像を見ながらの調整が、非常に行いやすくなる。また、このときには、調整値自体についても、背景を透明にした状態で表示されるので、この点からも映像が見やすくなる。
【００３４】
なお、ここでは文字色と背景の状態から、表示される内容を複数種類（少なくとも３種類）に区別するようにしたが、背景の状態だけから表示される項目を区別して表示するようにしても良い。また、文字色の設定だけから、表示される内容を３種類以上に区別して表示するようにしても良い。
【００３５】
また、ここではモニタ装置４０に表示される映像に文字を重畳する例について説明したが、記録媒体に記録する映像に重畳する文字についても、その背景色や文字色を表示内容に応じて３種類以上に区別して表示させても良く、この場合には映像信号処理部２０内の文字加算部２４で同様の処理を行えば良い。同様に、出力端子１８から出力される映像信号による映像に重畳する文字についても、その背景色や文字色を表示内容に応じて３種類以上に区別して表示させても良く、この場合には映像信号処理部２０内の文字加算部２２で同様の処理を行えば良い。
【００３６】
また、上述した実施の形態では、ビデオカメラ装置で扱う映像信号に文字情報を重畳させる場合の処理について説明したが、他の映像信号を扱う映像機器で文字情報を重畳させる場合にも本発明を適用できることは勿論である。
【００３７】
また、上述した実施の形態で説明した例では、文字列を表示させる例を説明したが、文字列以外の数字や図形などのキャラクタを表示させる場合にも本発明は適用できるものである。
【図面の簡単な説明】
【００３８】
【図１】本発明の一実施の形態が適用されるビデオカメラ装置の全体構成を示すブロック図である。
【図２】本発明の一実施の形態による文字重畳処理構成を示すブロック図である。
【図３】本発明の一実施の形態による位置設定用入力デバイスの例を示す平面図である。
【図４】本発明の一実施の形態による表示例（設定項目選択時の例）を示す説明図である。
【図５】本発明の一実施の形態による表示例（設定項目変更時の例）を示す説明図である。
【図６】本発明の一実施の形態による表示例（設定項目変更時の例）を示す説明図である。
【図７】従来の表示例の一例を示す説明図である。
【図８】従来の表示例の他の例を示す説明図である。
【符号の説明】
【００３９】
１…システムコントローラ、２…入力デバイス、３…文字表示制御部、４…カラーパレット部、２２，２４，３２…文字加算部、４０…搭載モニタ装置
【図１】
0004497153.tif 000002
【図２】
0004497153.tif 000003
【図３】
0004497153.tif 000004
【図４】
0004497153.tif 000005
【図５】
0004497153.tif 000006
【図６】
0004497153.tif 000007
【図７】
0004497153.tif 000008
【図８】
0004497153.tif 000009